(57)【特許請求の範囲】
【請求項１】
光源と、該光源の上方に配設され、前記光源から発せられた光を透過するとともに反射させて外部に照射させる灯体とを備え、
前記灯体が、前記光源から発せられた光を透過する無垢ガラスでブロック状の灯体本体部と、前記灯体本体部を透過して入射した光を所望の方向に反射させるリフレクター部とを備え、
且つ、前記灯体本体部が上面に凹部を備えて形成され、前記リフレクター部が前記灯体本体部の凹部に係合して一体に設けられており、
前記灯体本体部の凹部が上下方向に延びる軸線中心の径方向外側に向かうに従い上方に傾斜する凹面を備えて形成され、
前記リフレクター部が、光を反射する反射面が前記灯体本体部の凹部の凹面に沿うように前記凹部に係合して設けられており、
前記リフレクター部は、その下面が前記凹部の凹円弧面と同等の曲率半径を有する凸円弧面として形成され、前記軸線中心から径方向外側に向かうに従いその厚さが小となるように形成され、
前記リフレクター部の上面は略平面状に形成され、前記リフレクター部の厚さは前記凹部の深さと略同等の大きさで形成されていることを特徴とする照明装置。
【請求項２】
請求項１に記載の照明装置において、
前記灯体本体部の凹部の凹面と前記リフレクター部の光を反射する反射面との間に、前記反射面で反射した光の照度ムラをなくす調光部を備え、
前記リフレクター部は前記灯体の上端部を形成するキャップ部を兼ねている照明装置。
【請求項３】
請求項１または請求項２に記載の照明装置において、
前記光源を上端部側に内蔵し、前記上端部に前記灯体が固設される支柱を備えるとともに、前記支柱が外面の少なくとも一部を鏡面状にして形成されている照明装置。
【請求項４】
請求項１から請求項３のいずれか一項に記載の照明装置において、
前記灯体本体部は、下端側に外面から内側に凹み、前記灯体本体部を保持するための留めビスが係合する係合凹部を備えて形成されている照明装置。
【発明の詳細な説明】
【技術分野】
【０００１】
本発明は、照明装置に関し、特に住宅等の建物の外構に用いて好適な照明装置に関する。
【背景技術】
【０００２】
従来、外構用の照明装置として、いわゆるポール灯、足元灯などと称され、下端部を地面に支持させて立設される中空構造の支柱と、支柱の上端部側に内蔵される光源を有する発光部と、支柱の上端部に一体に取り付けられ、発光部の光源で発した光を、支柱の上下方向に延びる軸線を中心とした放射方向に照射させる灯体とを備えて構成したものがある（例えば、特許文献１参照）。
【０００３】
また、樹脂やガラスなどの透明部材を用いて筒状に形成され、下端を支柱の上端部に接続して配設される灯体本体部と、下面に反射板などの反射層を備えて形成され、灯体本体部の上端部に一体に取り付けられるキャップ部とを備えて灯体を構成したものもある。
【０００４】
そして、このような灯体を備えた照明装置においては、発光部の光源から発せられた光がキャップ部の反射層で反射し、灯体本体部を通じて照明装置の周囲に照射される。また、反射層の角度によって照明装置を中心とする下方の周囲の地面に光を照射させ（下配光）、通行人などの足元を明るく照らすようにすることができる。
【先行技術文献】
【特許文献】
【０００５】
【特許文献１】特開２００２−２６０４１０号公報
【発明の概要】
【発明が解決しようとする課題】
【０００６】
しかしながら、上記従来の外構用の照明装置においては、キャップ部の厚さが大きかったり、横から反射板が見えるなどするため、意匠性の点で改善の余地が残されていた。また、透明の灯体本体部を通じて横から光源が見えてしまい、この点からも意匠性の低下を招いていた。
【０００７】
本発明は、上記事情に鑑み、見栄えがよく、好適に光を照射させることが可能な照明装置を提供することを目的とする。
【課題を解決するための手段】
【０００８】
上記の目的を達するために、この発明は以下の手段を提供している。
【０００９】
本発明の照明装置は、光源と、該光源の上方に配設され、前記光源から発せられた光を透過するとともに反射させて外部に照射させる灯体とを備え、前記灯体が、前記光源から発せられた光を透過する無垢ガラスでブロック状の灯体本体部と、前記灯体本体部を透過して入射した光を所望の方向に反射させるリフレクター部とを備え、且つ、前記灯体本体部が上面に凹部を備えて形成され、前記リフレクター部が前記灯体本体部の凹部に係合して一体に設けられており、前記灯体本体部の凹部が上下方向に延びる軸線中心の径方向外側に向かうに従い上方に傾斜する凹面を備えて形成され、前記リフレクター部が、光を反射する反射面が前記灯体本体部の凹部の凹面に沿うように前記凹部に係合して設けられており、前記リフレクター部は、その下面が前記凹部の凹円弧面と同等の曲率半径を有する凸円弧面として形成され、前記軸線中心から径方向外側に向かうに従いその厚さが小となるように形成され、前記リフレクター部の上面は略平面状に形成され、前記リフレクター部の厚さは前記凹部の深さと略同等の大きさで形成されていることを特徴とする。
【００１０】
この発明においては、上面に凹部を備え、ブロック状に形成された無垢ガラスの灯体本体部の凹部に、光源から発せられて灯体本体部を透過した光を反射させて外部に照射させるリフレクター部を係合させて一体に設けるようにしたことで、横から見た際にリフレクター部（キャップ部）が大きく露出しないようにすることができる。これにより、照明装置の見栄えをよくすることが可能になる。
【００１１】
また、灯体本体部が無垢ガラスでブロック状に形成されていることにより、リフレクター部で反射した光を、灯体本体部を通じて好適に外部に照射させることが可能になる。さらに、灯体本体部が無垢ガラスでブロック状に形成されていることにより、灯体本体部を通じて横から光源が見えなくなるようにすることができ、照明装置の見栄えをさらによくすることが可能になる。
【００１３】
また、灯体本体部の凹部が上下方向に延びる軸線中心の径方向外側に向かうに従い上方に傾斜する凹面を備えて形成され、この凹部に係合するようにリフレクター部が形成されているため、軸線中心の径方向外側に向かうに従いリフレクター部の厚さが小となるようにリフレクター部を形成することができる。これにより、確実に、横から見た際にリフレクター部が大きく露出しないようにすることができ、見栄えをよくすることができる。
【００１４】
また、リフレクター部の反射面が灯体本体部の凹部の凹面に沿うようにリフレクター部が凹部に係合して設けられていることにより、光源から入射した光を灯体本体部の凹部の凹面及びリフレクター部の反射面の角度に応じた所望の下配光となる方向に精度よく反射させることができ、照明装置の軸線を中心とした周方向の地面の所望の範囲を好適に明るく照らすことが可能になる。
【００１５】
さらに、本発明の照明装置においては、前記灯体本体部の凹部の凹面と前記リフレクター部の光を反射する反射面との間に、前記反射面で反射した光の照度ムラをなくす調光部を備え、前記リフレクター部は前記灯体の上端部を形成するキャップ部を兼ねていることがより望ましい。
【００１６】
ここで、リフレクター部の反射面が例えばメッキなどによる鏡面状に形成されている場合、鏡面状の反射面の僅かな歪みなどによって外部に照射される光に照度ムラが生じてしまう。
【００１７】
これに対し、この発明においては、灯体本体部の凹部の凹面とリフレクター部の光を反射する反射面との間に、例えば酸化チタンを白色顔料として用いた白色塗料などによる調光部（調光層）を設けるようにし、リフレクター部の反射面で反射した光が調光部を透過するようにしたことで外部に照射する光の照度ムラをなくすことが可能になる。これにより、より好適に光を照射させることが可能になる。
【００１８】
また、本発明の照明装置においては、前記光源を上端部側に内蔵し、前記上端部に前記灯体が固設される支柱を備えるとともに、前記支柱が外面の少なくとも一部を鏡面状にして形成されていることがさらに望ましい。
【００１９】
この発明においては、支柱の上端部に灯体を設けることで、支柱の長さに応じて灯体の位置を調節することができる。そして、このように支柱を備えた場合であっても、支柱の外面を鏡面状にして形成することにより、支柱の外面に周囲の景色が映り込み、支柱を周囲の環境・景色・状況に同化させることができる。これにより、支柱の存在が周囲に対して際立って（目立って）しまうことを防止でき、照明装置としての見栄え、汎用性を大幅に高めることが可能になる。
【００２０】
さらに、本発明の照明装置においては、前記リフレクター部の上面が凸状に形成されていることが望ましい。
【００２１】
この発明においては、照明装置の最上部に配されるリフレクター部の上面が凸円弧面状等の凸状に形成されていることにより、照明装置を外構に設けた場合であっても、雨水等が上部に溜まることを防止できる。
【００２２】
また、本発明の照明装置においては、前記灯体本体部は、下端側に外面から内側に凹み、前記灯体本体部を保持するための留めビスが係合する係合凹部を備えて形成されていることが望ましい。
【００２３】
この発明においては、例えば、ＬＥＤなどの光源を取り付けたソケット部に灯体を取り付ける際に、ソケット部に灯体本体部の下端側を嵌合させた状態でソケット部の外側から留めビスをねじ込み、この留めビスの先端部を灯体本体部の係合凹部に係合させることにより、光源に対して灯体（灯体本体部）を容易に且つ確実に所定位置に位置決めして取り付けることができる。
【発明の効果】
【００２４】
本発明の照明装置によれば、見栄えがよく、好適に光を照射させることが可能な足元灯、ポール灯などとしての照明装置を提供することができる。
【図面の簡単な説明】
【００２５】
【図１】本発明の一実施形態に係る照明装置を示す正面視図であり、円柱状の支柱を備えた照明装置である。
【図２】図１に示す照明装置の分解斜視図である。
【図３】図１に示す照明装置の断面図である。
【図４】図１に示す照明装置の断面図である。
【図５】図１に示す照明装置の灯体を示す半断面図である。
【図６】本発明の一実施形態に係る照明装置を示す正面視図であり、角柱状の支柱を備えた照明装置である。
【図７】図６に示す照明装置の分解斜視図である。
【図８】図６に示す照明装置の断面図である。
【図９】図６に示す照明装置の断面図である。
【図１０】図６に示す照明装置の灯体を示す半断面図である。
【発明を実施するための形態】
【００２６】
以下、図１から図１０を参照し、本発明の一実施形態に係る照明装置について説明する。
【００２７】
ここで、本実施形態では、本発明に係る照明装置が例えば屋外通路の側部に設置するなどし、通行者の足元を明るく照らすことができる下配光の外構用の照明装置であるものとして説明を行う。
【００２８】
具体的に、本実施形態における照明装置Ａは、図１から図４（図６から図９）に示すように、下端部を地面に支持させて立設される中空構造の支柱１、光源２ａを有し、支柱１の上端部１ａ側に内蔵される発光部２と、支柱１の上端部１ａに一体に取り付けられ、発光部２の光源２ａで発した光を、上下方向に延びる軸線Ｏ１（支柱１）を中心とする放射方向に照射させる灯体３とを備えて構成されている。
【００２９】
支柱１は、断面円形状の円柱状（円管状：図１から図４）、あるいは断面が四角や三角などの多角状の角柱状（角管状：図６から図９）に形成されている。また、本実施形態の支柱１は、外面を鏡面仕上げ・鏡面加工して（鏡面状に）形成されている。
【００３０】
発光部２は、支柱１の上端部１ａに取り付けるための略筒状に形成されたソケット部２ｂと、ソケット部２ｂに一体に取り付けられたＬＥＤなどの光源２ａとを備えて構成されている。そして、発光部２は、支柱１の中空部に配線を通しつつソケット部２ｂを支柱１の内部に支持させるとともに、支柱１の外側からねじ込んだビス１ｂ（ビス孔１ｃ）によって支柱１に固定することにより、光源２ａから光を上方に発するように支柱１の上端部１ａに内蔵して配設される。
【００３１】
灯体３は、図５、図１から図４（図１０（図６から図９））に示すように、圧縮して成形されたブロック状の無垢ガラスからなる灯体本体部３ａと、灯体本体部３ａの上端部に一体に取り付けられるリフレクター部（キャップ部）３ｂと、灯体本体部３ａの上面とリフレクター部３ｂの間に介装される調光部３ｃとを備えて構成されている。
【００３２】
ブロック状の無垢ガラスからなる灯体本体部３ａは、下端側に設けられ、支柱１の上端部１ａから内部に挿入して固定するための固定部４と、固定部４から上方に設けられ、支柱１の上端部１ａから上方に配設される本体部５とを備えて形成されている。また、固定部４は、上下方向に延びる軸線Ｏ１中心の径方向に凹み、周方向に繋がる環状の係合凹部４ａを備えている。
【００３３】
そして、本実施形態においては、固定部４をソケット部２ｂの内部に挿入するとともにソケット部２ｂの外側から留めビス２ｃをねじ込み、留めビス２ｃの先端部が固定部４の係合凹部４ａに係合することにより、灯体本体部３ａ（灯体３）をソケット部２ｂひいては支柱１の上端部１ａに着脱可能に固定できるように構成されている。
【００３４】
また、本実施形態では、ソケット部２ｂの上端部側に略筒状のパッキン２ｄが取り付けられ、このパッキン２ｄを灯体本体部３ａの固定部４（係合凹部４ａ）とソケット部２ｂの間に介装するようにして灯体本体部３ａがソケット部２ｂに一体に取り付けられる。
【００３５】
次に、本体部５は、その上端部（上面）に凹部６が形成されており、この凹部６は、上下方向に延びる軸線Ｏ１中心の径方向外側に向かうに従い上方に傾斜する凹面６ａを備えて形成されている。本実施形態においては、凹部６が上下方向に延びる軸線Ｏ１を中心とした所定の曲率半径の凹円弧面（６ａ）を備えて形成されている。
【００３６】
なお、凹部６を例えば軸線Ｏ１を中心とする凹円錐状に形成してもよい。また、凹円弧面の曲率半径、凹円錐面の角度はそれぞれ、灯体本体部３ａから軸線Ｏ１中心の外側に照射する範囲（本実施形態では下配光の範囲）、及び／又は灯体本体部３ａの成形の可否などに応じて適宜設定されている。
【００３７】
リフレクター部３ｂは、灯体３の上端部を形成するキャップ部を兼ねるとともに、光源２ａから発せられて無垢ガラスでブロック状の灯体本体部３ａを透過して入射した光を所望の方向に反射させるためのものであり、灯体本体部３ａの上端部に形成した凹部６に係合させて一体に固定して設けられている。
【００３８】
また、本実施形態のリフレクター部３ｂは、その下面が凹部６の凹円弧面（６ａ）と同等の曲率半径を有する凸円弧面７として形成され、上面が凸円弧面あるいは略平面状に形成され、軸線Ｏ１中心から径方向外側に向かうに従いその厚さが小となるように形成されている。すなわち、このリフレクター部３ｂは、光を反射する反射面７が灯体本体部３ａの凹部６の凹面６ａに沿うように凹部６に係合して設けられている。
【００３９】
さらに、本実施形態のリフレクター部３ｂは、例えばＡＢＳなどの樹脂を用いて所定の形状で形成されるとともに、その表面（下面及び上面）に銀メッキなどのメッキを施して形成されている。これにより、リフレクター部３ｂは、灯体本体部３ａの凹円弧面６ａと同等の曲率半径を有し、凹円弧状面６ａに面接触させるように係合する凸円弧状の下面がメッキによって鏡面仕上げ・鏡面加工され、反射面７として形成されている。
【００４０】
調光部３ｃは、灯体本体部３ａの上面とリフレクター部３ｂの間に介装され、光源２ａから発生された光の少なくとも一部が透過し、リフレクター部３ｂの反射面７で反射した光を透過させつつ軸線Ｏ１中心の周方向に略均一に光を照射させ、リフレクター部３ｂの反射面７で反射した光の照度ムラをなくすためのものである。
【００４１】
そして、本実施形態では、例えば酸化チタンを顔料として含む白色塗料を灯体本体部３ａの凹面６ａあるいはリフレクター部３ｂの反射面７に塗布するなどして調光部３ｃが設けられている。また、リフレクター部３ｂは、接着剤を用いて灯体本体部３ａに一体に取り付けられている。
【００４２】
次に、上記構成からなる本実施形態の照明装置Ａの作用効果について説明する。
【００４３】
まず、本実施形態の照明装置Ａは、灯体３（灯体本体部３ａ）の固定部４にパッキン２ｄを被せて取り付けるとともに固定部４をソケット部２ｂに嵌め込み、留めビス２ｃをねじ込んで固定部４の係合凹部４ａに係合／保持させることにより、灯体３を発光部２に一体に取り付ける。
【００４４】
このように留めビス２ｃの先端部を灯体本体部３ａの係合凹部４ａに係合させて灯体３を発光部２に取り付けるようにしたことで、光源２ａに対して灯体３を容易に且つ確実に所定位置に位置決めして取り付けることができる。
【００４５】
次に、支柱１の内部に配線を通しつつ、灯体３を取り付けた発光部２を支柱１の上端部から挿入して所定位置で支持させる。さらに、支柱１の外側からビス１ｂ（ビス孔１ｃ）をねじ込むことにより、発光部２ひいては灯体３を支柱１の上端部の所定位置に固定して取り付ける。
【００４６】
このようにビス留めによって取り付け固定できるようにすることで、灯体３を確実に固定して取り付けできるとともに、その着脱が容易に行え、メンテナンス性などを大幅に高めることが可能になる。
【００４７】
また、本実施形態の照明装置Ａにおいては、ブロック状の無垢ガラスからなる灯体本体部３ａを備え、且つこの灯体本体部３ａの上端部に凹円弧面状の凹部６を設け、この凹部６に係合させてリフレクター部３ｂがキャップ部のようにして設けられている。
【００４８】
そして、リフレクター部３ｂは、その下面が凹部６の凹円弧面（６ａ）と同等の曲率半径を有する凸円弧面として形成され、軸線Ｏ１中心から径方向外側に向かうに従いその厚さが小となるように形成されている。このため、灯体本体部３ａを横方向から見たとき、灯体本体部３ａの上部に非常に薄いリフレクター部３ｂが露出した状態となり、従来のように厚さが大きいキャップ部が露出している場合と比較し、照明装置Ａの意匠性を大幅に向上させることが可能になる。
【００４９】
また、リフレクター部３ｂの上面が凸円弧面状（凸状）に形成されているため、雨水等が上部に溜まることがなく、さらにリフレクター部３ｂの上面がメッキを施して形成されていることで照明装置Ａの上部の見栄えをよくすることができる。
【００５０】
次に、発光部２、灯体３を取り付けた状態で支柱１を所定位置に立設して設置し、配線を電源に接続することにより、発光部２の光源２ａを発光させ、灯光することができる。
【００５１】
一方、本実施形態の照明装置Ａにおいては、発光部２の光源２ａから発せられた光がブロック状の無垢ガラスからなる灯体本体部３ａを通じ、灯体本体部３ａの上端に形成された凹部６の凹円弧面（６ａ）に積層された調光部３ｃに照射される。
【００５２】
そして、この調光部３ｃが例えば広範の波長の光を万遍なく反射する酸化チタンなどを含む白色塗料であるため、調光部３ｃを一部の光が透過しつつ、他の光が反射する。
【００５３】
また、調光部３ｃを透過した光がリフレクター部３ｂの鏡面仕上げ・加工した反射面７に照射されて反射し、再度調光部３ｃを透過する。
【００５４】
このとき、灯体本体部３ａの上端に形成された凹部６の凹円弧面（６ａ）、リフレクター部３ｂの反射面７がそれぞれ所定の曲率半径で形成されているため、調光部３ｃやリフレクター部３ｂで反射した光が、下配光として支柱１の軸線Ｏ１を中心とした径方向、周方向の所望の範囲に照射され、この所望の範囲を照らすことができる。
【００５５】
ここで、本実施形態のようにリフレクター部３ｂの反射面７がメッキなどによる鏡面状に形成されている場合、鏡面状の反射面７の僅かな歪みなどによって外部に照射される光に照度ムラが生じる場合がある。
【００５６】
これに対し、灯体本体部３ａの凹部６の凹面６ａとリフレクター部３ｂの光を反射する反射面７との間に、酸化チタンを白色顔料として用いた白色塗料などによる調光部（調光層）３ｃを設けると、リフレクター部３ｂの反射面７で反射した光が調光部３ｃを透過することで外部に照射する光の照度ムラをなくすことが可能になる。これにより、より好適に光を照射させることが可能になる。
【００５７】
また、本実施形態の照明装置Ａにおいては、ブロック状の無垢ガラスからなる灯体本体部３ａを用いて灯体３を構成することによって、灯体３の横から光源２ａを臨んだ際に、灯体本体部３ａが無垢ガラスであることにより光源２ａが見えることがない（視認できなくなる）。これにより、照明装置Ａとしての見た目をさらによくすることができる。
【００５８】
さらに、本実施形態の照明装置Ａにおいては、支柱１が、断面円形状の円柱状、あるいは断面が四角や三角などの多角状の角柱状に形成されるとともに、その外面を鏡面仕上げ・鏡面加工して形成されている。
このため、周囲の景色が支柱１の外面に映り込み、支柱１を周囲の環境・景色・状況に同化させることができる。これにより、支柱１ひいては照明装置Ａの存在が周囲に対して際立って（目立って）しまうことを防止でき、照明装置Ａとしての見栄え、汎用性を大幅に高めることが可能になる。
【００５９】
以上、本発明に係る照明装置の一実施形態について説明したが、本発明は上記の一実施形態に限定されるものではなく、その趣旨を逸脱しない範囲で適宜変更可能である。
【００６０】
例えば、本実施形態では、灯体本体部３ａの凹部６の凹面６ａとリフレクター部３ｂの光を反射する反射面７との間に調光部３ｃを設けるものとしたが、調光部３ｃを設けず、リフレクター部３ｂの下面の反射面７のみで光を反射して照射させるように構成してもよい。
【符号の説明】
【００６１】
１      支柱
１ａ    上端部
１ｂ    ビス
１ｃ    ビス孔
２      発光部
２ａ    光源
２ｂ    ソケット部
２ｃ    留めビス
２ｄ    パッキン
３      灯体
３ａ    灯体本体部
３ｂ    リフレクター部
３ｃ    調光部
４      固定部
４ａ    係合凹部
５      本体部
６      凹部
６ａ    凹面
７      反射面
Ａ      照明装置
Ｏ１    軸線
【図１】
0006683478.tif 000002
【図２】
0006683478.tif 000003
【図３】
0006683478.tif 000004
【図４】
0006683478.tif 000005
【図５】
0006683478.tif 000006
【図６】
0006683478.tif 000007
【図７】
0006683478.tif 000008
【図８】
0006683478.tif 000009
【図９】
0006683478.tif 000010
【図１０】
0006683478.tif 000011